(57)【要約】【課題】  簡便に風船内部にガスを吹き込むことができ、風船に吹き込まれるガスを外部に漏れ出すことのない風船用ガス吹き込みノズルを得る。【解決手段】  風船の吹き込み口に先端部を挿入されて風船内部に気体を吐出する吐出管と、この吐出管周囲の後端方向に次第に拡径して設けられた傘状鍔部とを備え、前記傘状鍔部が、風船の吹き込み口の端縁部を拡径しつつこの端縁部に密着する滑らかなテーパ面を備えるもの。【選択図】        図３
2006081813.tif 000002
【特許請求の範囲】
【請求項１】
風船の吹き込み口に先端部を挿入されて風船内部に気体を吐出する吐出管と、
この吐出管周囲の後端方向に次第に拡径して設けられた傘状鍔部とを備え、
前記傘状鍔部が、風船の吹き込み口の端縁部を拡径しつつこの端縁部に密着する滑らかなテーパ面を備えていることを特徴とする風船用ガス吹き込みノズル。
【請求項２】
前記吐出管が前記傘状鍔部の頂点から突設していることを特徴とする請求項１に記載の風船用ガス吹き込みノズル。
【請求項３】
前記ノズルが、押し込んだ際に外気圧よりも高い圧力の風船吹き込み用ガスの吐出を開放する弁機構の開放手段を兼ねた噴射管に装着されるものであって、
前記ノズルには、前記吐出管の先端開口部に連通して前記傘状鍔部の後端側に設けられた前記噴射管の装着口を備え、
前記噴射管に装着されたノズルが、前記風船の吹き込み口端縁部を拡径しつつ密着する際に、前記噴射管の押し込み移動を阻害しないことを特徴とする請求項１又は２に記載の風船用ガス吹き込みノズル。
【請求項４】
前記ノズルが、押し込んだ際に外気圧よりも高い圧力の風船吹き込み用ガスを吐出する弁機構を缶体の上部に設けられたボンベに備わった噴射管に装着されたことを特徴とする請求項３に記載の風船用ガス吹き込みノズル。
【発明の詳細な説明】
【技術分野】
【０００１】
本発明は例えばゴム風船、アルミバルーン等の風船の吹き込み口に当接してガスを吹き込むノズルに関するものである。
【背景技術】
【０００２】
幼い子供達は風船に非常に興味を示すものである。単に息を吹き込んで膨らませた浮かび上がらない風船は元より、ヘリウムガス等の空気より軽い気体を吹き込んで膨らませ紐等でつなぎ止めていないと空高く舞い上がる風船にも非常に興味を示す。
【０００３】
また、ゴム製の弾力性のある風船以外にも、近年では、アルミ等のガスバリア層を備えた樹脂フィルムで作成された風船もあり、これは前述のゴム製の風船よりも内部の気体を外部に逃がし難く、主にヘリウムガス等の空気より軽いガスを吹き込んで使用される（例えば、特許文献１参照）。ところで、この樹脂フィルム製の風船では、形状も従来のゴム製の風船での液滴型だけではなく、魚型、イルカ型、気球型等種々の形状を取りうるものであった。
【０００４】
更に、この樹脂フィルム製の風船については、この風船に購入者自身がガスを注入するための低圧の簡易ボンベも市販されている。図５は簡易ボンベに装着した従来のノズルの使用を示す説明図である。図５に示す通り、内部にヘリウムガス等のガスが充填されたガスボンベ缶５１には、従来のスプレー缶と同様に上部に缶内部方向へ押し込んだ際にガスが吹き出す吹き出しノズル５２が備わり、ノズル５２の吹き出し穴に細長い管状の挿入管５３を装着し、これを風船５４の吹き込み口５５に挿入して、吹き込み口を手で絞った状態でノズル５２を缶本体へ押し込んで缶内のガスを風船に注入する。
【０００５】
また、高圧ヘリウムガスボンベから直接、ゴム製風船や樹脂フィルム製風船等にガスを注入する際にも、このボンベに連通したホースの先端部に、前述の挿入管と同様に、細長い管状の挿入管を取付け、この挿入管を風船の吹き込み口に挿入して、吹き込み口を手で絞った状態でボンベからガスを吹き込んでガスを風船に注入している。
【特許文献１】特開平０７−０５９９５３公報
【発明の開示】
【発明が解決しようとする課題】
【０００６】
しかしながら、細長い管状の挿入管での風船へのガスの注入は、風船の吹き込み口を手指で絞った状態で注入するため、細い挿入管を風船の吹き込み口に挿入することに慣れが必要で、ガスが外部に漏れ出ることが多く、ヘリウムガス等の高価なガスを無駄にすることや、ポンプ、コンプレッサー等で空気を吹き込む場合でも無駄な空気の流出や余計な時間が消費される。また、空気より軽い可燃性ガスである水素ガスを風船に注入することは今は行われてはいない筈であるが、万一行われているならば、爆発の危険性がある。
【０００７】
本発明は、簡便に風船内部にガスを吹き込むことができ、風船に吹き込まれるガスを外部に漏れ出すことのない風船用ガス吹き込みノズルを得ることを目的とする。
【課題を解決するための手段】
【０００８】
請求項１に記載された発明に係る風船用ガス吹き込みノズルは、風船の吹き込み口に先端部を挿入されて風船内部に気体を吐出する吐出管と、
この吐出管周囲の後端方向に次第に拡径して設けられた傘状鍔部とを備え、
前記傘状鍔部が、風船の吹き込み口の端縁部を拡径しつつこの端縁部に密着する滑らかなテーパ面を備えていることを特徴とするものである。
【０００９】
請求項２に記載された発明に係る風船用ガス吹き込みノズルは、請求項１に記載の吐出管が前記傘状鍔部の頂点から突設していることを特徴とするものである。
【００１０】
請求項３に記載された発明に係る風船用ガス吹き込みノズルは、請求項１又は２に記載のノズルが、押し込んだ際に外気圧よりも高い圧力の風船吹き込み用ガスの吐出を開放する弁機構の開放手段を兼ねた噴射管に装着されるものであって、
前記ノズルには、前記吐出管の先端開口部に連通して前記傘状鍔部の後端側に設けられた前記噴射管の装着口を備え、
前記噴射管に装着されたノズルが、前記風船の吹き込み口端縁部を拡径しつつ密着する際に、前記噴射管の押し込み移動を阻害しないことを特徴とするものである。
【００１１】
請求項４に記載された発明に係る風船用ガス吹き込みノズルは、請求項３に記載のノズルが、押し込んだ際に外気圧よりも高い圧力の風船吹き込み用ガスを吐出する弁機構を缶体の上部に設けられたボンベに備わった噴射管に装着されたことを特徴とするものである。
【発明の効果】
【００１２】
本発明は以上説明した通り、簡便に風船内部にガスを吹き込むことができ、風船に吹き込まれるガスが外部に漏れ出すことの少ない風船用ガス吹き込みノズルを得ることができるという効果がある。
【発明を実施するための最良の形態】
【００１３】
本発明においては、風船の吹き込み口に先端部を挿入されて風船内部に気体を吐出する吐出管と、この吐出管周囲の後端方向に次第に拡径して設けられた傘状鍔部とを備え、前記傘状鍔部が、風船の吹き込み口の端縁部を拡径しつつこの端縁部を密着する滑らかなテーパ面を備えている。これにより、傘状鍔部が風船の吹き込み口端縁部を拡径しつつ密着するため、簡便に風船内部にガスを吹き込むことができ、この作業中に風船に吹き込まれるガスが外部に漏れ出すことが少ない。
【００１４】
本発明の風船用ガス吹き込みノズルによってガスが吹き込まれる風船としては、少なくとも１つの吹き込み口を備え、吹き込まれたガスで膨張するものであればよく、この吹き込み口の端縁部の孔径に対して本発明のノズル全体が挿入されなければよい。即ち、本発明のノズルが大きな孔径を傘状鍔部の後端側に備えていればよい。従って、風船の素材には何ら関係することなく、例えば、ゴム製の風船、樹脂フィルム製の風船を始めとする種々の風船に適用することができる。
【００１５】
吹き込まれるガスは、空気を始め、空気よりも比重が軽い単独又は混合ガス、空気よりも比重が重い単独又は混合ガス、何れのものであってもよい。玩具の風船としては、空気よりも比重が軽い単独又は混合ガスが好まれる。例えば、ヘリウムガス単独又はヘリウムガスと空気との混合ガスが好ましい。水素ガスも用いることはできるが、可燃性ガスであるため一般には用いられず、万一実施の場合には、厳重な注意を要する。また、商品のディスプレー等で大量のゴム風船が必要な場合等には、本発明のノズルをコンプレッサーやポンプに繋いで通常の空気を簡便に吹き込むことができる。
【００１６】
本発明の風船用ガス吹き込みノズルの傘状鍔部は、吐出管周囲の後端方向に次第に拡径して設けられ、尚且つ、風船の吹き込み口端縁部を拡径しつつ密着する滑らかなテーパ面を備えればよい。具体的にはテーパが直線状に拡径している円錐状のものや、テーパが曲線状に拡径している紡錘状や漏斗状のものも含まれる。また、テーパ面は風船の吹き込み口の端縁部を拡径しつつこの端縁部を密着した際にガスの漏れが発生しないような滑らかさがあればよい。また、滑らかさを向上させるためにテーパ面に潤滑剤を塗布した状態で使用してもよい。
【００１７】
また、本発明のノズルの傘状鍔部は、風船の吹き込み口の端縁部の孔径よりも大きな後端側孔径を有する。これは、風船の吹き込み口端縁部を傘状鍔部に押付けて拡径しつつ密着させて風船内部にガスを吹き込む際に、傘状鍔部のテーパ面の途中で留まり、ノズル自体が風船の吹き込み口に入り込まないようにするためである。これにより、風船の吹き込み口の端縁部を拡径しつつこの端縁部を密着することができる。
【００１８】
本発明のノズルの吐出管は、単に傘状鍔部の先端部に開口を穿設したものであってもよいが、より好ましい態様としては、吐出管は傘状鍔部の頂点から突出して設けられる。これにより、風船の吹き込み口にノズル先端部を容易に挿入でき、操作に慣れが必要となくなる利点がある。尚、よりスムーズな操作性のために、傘状鍔部の頂点から突出して設けられた吐出管を先細りとしてもよい。
【００１９】
また、本発明のノズルは、好ましくは、押し込んだ際に外気圧よりも高い圧力の風船吹き込み用ガスの吐出を開放する弁機構の開放手段を兼ねた噴射管に装着されるものであって、前記ノズルには前記吐出管の先端開口部に連通して前記傘状鍔部の後端側に設けられた前記噴射管の装着口を備え、前記噴射管に装着されたノズルが前記風船の吹き込み口端縁部を拡径しつつ密着する際に前記噴射管の押し込み移動を阻害しないものであれば、風船の装着と同時に内部にガスが充填されるため、手早い作業が行え、しかも、ガス漏れも少ない。
【００２０】
この弁機構は、ノズルが装着される噴射管を押し込んだ際に外気圧よりも高い圧力の風船吹き込み用ガスの吐出を開放する機構であればよい。このような弁機構は、前述の図５に示した簡易ボンベに装備されているものと同一または類似の機構である。即ち、本発明の具体的な例としては、ノズルが押し込んだ際に外気圧よりも高い圧力の風船吹き込み用ガスを吐出する弁機構を缶体の上部に設けられたボンベに備わった噴射管に装着される。また、簡易ボンベではなく、通常のガスボンベに装着可能な類似の弁機構であっても何ら構わない。
【００２１】
即ち、ノズルを噴射管に装着した上で、ノズルの傘状鍔部に風船の吹き込み口を当てて、傘状鍔部に吹き込み口の端縁部を拡径しつつ密着させた状態でノズル自体を押し込むことにより噴射管を押し込む。噴射管の押し込みにより、外気圧よりも高い圧力のガスが閉鎖状態から解放される。ガスが、噴射管からノズルの吐出管を通って、風船内部に吹き込まれる。この際に、風船の吹き込み口の端縁部はノズルの傘状鍔部で拡径しつつ密着された状態であるため、風船外へ漏れ出すことが少なくなる。また、ガスの噴射は風船の吹き込み口の端縁部をノズルの傘状鍔部に当てた状態でノズル自体を押し込むことにより行うため、操作は簡便である。
【００２２】
本発明のノズルの材質は、樹脂製、金属製、セラミック製を始めとして何ら限定はされるものではない。より好ましくは、樹脂製のものが噴射管との接合部分にＯリング状の肉厚部を成形と同時に設けることができ、別部材のガス漏れ防止用のパッキングを装着しなくてもよく良好である。
【実施例】
【００２３】
図１は本発明の風船用ガス吹き込みノズルの外観を示す説明図であり、ａ図は平面図、ｂ図は正面図、ｃ図は底面図、ｄ図は断面図である。図に示す通り、本発明の風船用ガス吹き込みノズル１０は、風船の吹き込み口に先端部を挿入されて風船内部に気体を吐出する吐出管１１と、この吐出管１１周囲の後端方向に次第に拡径して設けられた円錐状の傘状鍔部１２とを備える。
【００２４】
吐出管１１は、円錐状の傘状鍔部１２の頂点から突出して設けられており、若干先細りになっている。傘状鍔部１２の後端縁はテーパを覆うように円柱状のスカート部１４が全周に亘って形成されている。スカート部１４の後端縁は平坦になっている。
【００２５】
後端側のスカート部１４で囲まれた中央部には、吐出管１１に対向して装着口１３が配され、吐出管の先端開口部へ連通して設けられている。装着口１３は後述する簡易ボンベに備わった弁機構の解除手段を兼ねた噴射管に取付けられる。即ち、押し込んだ際に外気圧よりも高い圧力の風船吹き込み用ガスの吐出を開放する弁機構の開放手段を兼ねた噴射管に取付けられる。なお、ノズルが取付けられる噴射管は、後述する簡易ボンベだけでなく、高圧ボンベに取付けられる同様の弁機構でもよい。
【００２６】
図２は本発明の別の風船用ガス吹き込みノズルの断面図である。図２に示したノズル２０についても、図１と同様に、風船の吹き込み口に先端部を挿入されて風船内部に気体を吐出する吐出管２１と、この吐出管２１周囲の後端方向に次第に拡径して設けられた円錐状の傘状鍔部２２と、傘状鍔部２２の後端縁を覆うように全周に亘って形成された円柱状のスカート部２４と、傘状鍔部２２の後端側のスカート部２４で囲まれた中央部に吐出管２１に対向して形成された装着口２３とを備える。
【００２７】
図２は図１と相違する箇所は、吐出管２１が肉薄となっており、更に、装着口２３の内面には全周に亘って断面が半円状の肉厚部２５が形成されている。これにより、後述する簡易ボンベ等の噴射管に取付ける際にＯリング等の別部材を装着する必要がなく、良好である。
【００２８】
図３は本発明の風船用ガス吹き込みノズルを簡易ボンベに装着した構成を示す説明図である。図４は図３に示した簡易ボンベに装着した風船用ガス吹き込みノズルの使用を示す説明図である。図３は図２に示した風船用ガス吹き込みノズル２０を簡易ボンベ３０に装着した状態を示す。
【００２９】
図に示す通り、本実施例のノズル２０を使用するには、簡易ボンベ３０の噴射管３１の先端にノズル２０の装着口２３を取付ける。この際、前述の肉厚部２５のために、別部材としてのガス漏れ防止用のパッキングを装着しなくてもよい。
【００３０】
簡易ボンベ３０の噴射管３１は内部のガスを噴射する噴射口であるが、閉鎖されたガスの吐出を開放する弁機構の開放手段を兼ねる。即ち、噴射管３１の直下には、弁機構３２が設けられており、噴射管３１が押し込んだ際に外気圧よりも高い圧力の風船吹き込み用ガスの吐出を開放する。
【００３１】
取付けられたノズル２０の後端縁と簡易ボンベ３０の上部壁３３とには間隙が形成され、尚且つ、ノズル２０の装着口２３の後端縁と簡易ボンベ３０の噴射管３１が挿入された挿入口端縁３４とにも間隙が形成されている。このため、ノズル２０を簡易ボンベ３０方向へ押さえると噴射管３１が押し込まれ、噴射管３１、装着口２３を経て吐出管２１の開口からガスが噴射する。
【００３２】
従って、図４に示す通り、風船４１の吹き込み口４２の端縁部を拡径しつつ密着させてノズル２０のテーパー部２２押付けると共にノズル自体をボンベ３０に押付けて噴射管を押し込むことにより、風船の装着と共に内部にガスが充填されるため、手早い作業が行え、しかも、ガス漏れも少ない。
【図面の簡単な説明】
【００３３】
【図１】本発明の風船用ガス吹き込みノズルの外観を示す説明図であり、ａ図は平面図、ｂ図は正面図、ｃ図は底面図、ｄ図は断面図である。
【図２】本発明の別の風船用ガス吹き込みノズルの断面図である。
【図３】本発明の風船用ガス吹き込みノズルを簡易ボンベに装着した構成を示す説明図である。
【図４】図３に示した簡易ボンベに装着した風船用ガス吹き込みノズルの使用を示す説明図である。
【図５】簡易ボンベに装着した従来のノズルの使用を示す説明図である。
【符号の説明】
【００３４】
１０、２０…風船用ガス吹き込みノズル、
１１、２１…吐出管、
１２、２２…傘状鍔部、
１３、２３…装着口、
１４、２４…スカート部、
２５…肉厚部、
３０…簡易ボンベ、
３１…噴射管、
３２…弁機構、
３３…上部壁、
３４…挿入口端縁、
４１…風船、
４２…吹き込み口、
【図１】
2006081813.tif 000003
【図２】
2006081813.tif 000004
【図３】
2006081813.tif 000005
【図４】
2006081813.tif 000006
【図５】
2006081813.tif 000007